(57)【要約】【課題】レンズ鏡筒から手を離したときのレンズ位置が保持されること。【解決手段】デジタルカメラ１のレンズ鏡筒１０は、撮影光学系２０を収容する鏡筒と、鏡筒の周囲に設けられ、操作者が鏡筒に対して接触した状態、または非接触の状態を検出するタッチセンサ１２、１４、１６とを備える。タッチセンサ１２、１４、１６が接触を検出すると、ＣＰＵ３２は、各タッチセンサに対応するズームレンズ２１、フォーカスレンズ２３、絞り２５の移動や開閉を許容し、タッチセンサ１２、１４、１６が接触を検出しなくなると、ＣＰＵ３２は、ズームレンズ２１、フォーカスレンズ２３、絞り２５の移動や開閉を係止部３４を介してロックする。【選択図】図２
2014174504.tif 000002
【特許請求の範囲】
【請求項１】
撮影光学系を収容する鏡筒と、
前記撮影光学系の少なくとも一部の移動光学系を光軸方向に駆動する駆動手段と、
前記鏡筒の周囲に設けられ、操作者が前記鏡筒に対して接触した状態、または非接触の状態を検出するタッチセンサと、
前記タッチセンサの接触状態の検出結果に応じて前記移動光学系の移動を許容し、前記タッチセンサの非接触状態の検出結果に応じて前記移動光学系の移動をロックするロック手段と、を備えることを特徴とするレンズ鏡筒。
【請求項２】
請求項１に記載のレンズ鏡筒において、
前記鏡筒の外周に設けられ、操作者による操作に応じて前記移動光学系を移動する操作リングを更に備え、
前記タッチセンサは、前記操作リングの周囲に設けられることを特徴とするレンズ鏡筒。
【請求項３】
請求項１または２に記載のレンズ鏡筒において、
前記タッチセンサが手を離したことを検出した時に、所定の時間の計時を開始し、前記所定の時間の計時後に計時信号を出力する計時手段と、
前記計時手段の前記所定の時間を変更可能な所定時間変更手段と、を更に備え、
前記ロック手段は、前記計時手段の計時信号に応じて前記移動光学系の移動をロックすることを特徴とするレンズ鏡筒。
【請求項４】
請求項３に記載のレンズ鏡筒において、
前記撮影光学系の光軸の重力方向に対する角度を検出する姿勢検出手段を更に備え、
前記所定時間変更手段は、前記姿勢検出手段が検出した角度に応じて、前記計時手段の前記所定の時間を設定することを特徴とするレンズ鏡筒。
【請求項５】
請求項１〜４のいずれか１項に記載のレンズ鏡筒において、
温度変化を検出する温度センサを更に備え、
前記ロック手段は、前記温度センサが所定値以上の温度変化を検出し、且つ、前記タッチセンサが前記接触状態を検出した場合に、前記移動光学系の移動を許容することを特徴とするレンズ鏡筒。
【請求項６】
請求項１〜５のいずれか１項に記載のレンズ鏡筒において、
前記タッチセンサは、操作者が接触した状態で接触位置が移動することを検出し、その移動方向に応じた移動方向検出信号を出力し、
前記駆動手段は、前記タッチセンサの移動方向検出信号に応じた方向に前記移動光学系を駆動するアクチュエータを有することを特徴とするレンズ鏡筒。
【請求項７】
請求項２〜６のいずれか１項に記載のレンズ鏡筒において、
前記撮影光学系は、前記撮影光学系の焦点距離を調節するズームレンズを有し、
前記操作リングは、前記ズームレンズを操作するズームリングであることを特徴とするレンズ鏡筒。
【請求項８】
請求項２〜６のいずれか１項に記載のレンズ鏡筒において、
前記撮影光学系は、前記撮影光学系の焦点調節を行うフォーカスレンズを有し、
前記操作リングは、前記フォーカスレンズを操作するフォーカスリングであることを特徴とするレンズ鏡筒。
【請求項９】
請求項１〜８のいずれか１項に記載のレンズ鏡筒において、
前記鏡筒内に設けられた絞り機構と、
前記鏡筒の外周に設けられ、前記絞り機構を操作する絞りリングと、
前記絞りリングの周囲に設けられ、操作者が前記絞りリングに対して接触した状態、または非接触の状態を検出する絞りタッチセンサと、
前記絞りタッチセンサの接触状態の検出結果に応じて前記絞り機構の移動を許容し、前記絞りタッチセンサの非接触状態の検出結果に応じて前記絞り機構の移動をロックする絞りロック手段と、を更に備えることを特徴とするレンズ鏡筒。
【請求項１０】
請求項１〜９のいずれか１項に記載のレンズ鏡筒と、
前記レンズ鏡筒が取り付けられるカメラ本体と、を備えるデジタルカメラ。
【発明の詳細な説明】
【技術分野】
【０００１】
本発明は、レンズ鏡筒、及びこのレンズ鏡筒を備えるデジタルカメラに関する。
【背景技術】
【０００２】
沈胴式のレンズを備えたデジタルカメラでは、デジタルカメラのグリップ部に圧力センサを取り付け、カメラを把持した状態から非把持の状態となったことが圧力センサによって検出されると、カメラが落下中であると判断し、レンズを沈胴させて破損を防止する技術が開示されている（例えば、特許文献１参照）。
【先行技術文献】
【特許文献】
【０００３】
【特許文献１】特開２００４−１１７８４５号公報
【発明の概要】
【発明が解決しようとする課題】
【０００４】
特許文献１のカメラでは、カメラのグリップ部から手を離すと圧力センサが非把持状態であることを検出し、レンズが沈胴状態となるが、非把持状態であってもカメラが落下中であるとは限らず、例えばカメラを肩に掛けて歩行中の場合もある。このような場合、レンズ鏡筒内でレンズ自身の重さによって勝手にレンズの位置が変わってしまうという問題がある。ところが、特許文献１のデジタルカメラでは、非把持状態ではレンズを沈胴させて初期状態に戻してしまうので、レンズ位置が保持されない。
【課題を解決するための手段】
【０００５】
請求項１の発明によるレンズ鏡筒は、撮影光学系を収容する鏡筒と、前記撮影光学系の少なくとも一部の移動光学系を光軸方向に駆動する駆動手段と、前記鏡筒の周囲に設けられ、操作者が前記鏡筒に対して接触した状態、または非接触の状態を検出するタッチセンサと、前記タッチセンサの接触状態の検出結果に応じて前記移動光学系の移動を許容し、前記タッチセンサの非接触状態の検出結果に応じて前記移動光学系の移動をロックするロック手段と、を備えることを特徴とする。
【発明の効果】
【０００６】
本発明のレンズ鏡筒によれば、タッチセンサの非接触状態の検出結果に応じて移動光学系の移動をロックするので、その時点のレンズ位置を保持することができる。
【図面の簡単な説明】
【０００７】
【図１】本発明の第１の実施の形態に係るレンズ鏡筒を備えるデジタルカメラを模式的に示す外観図である。
【図２】第１の実施の形態に係るレンズ鏡筒を備えるデジタルカメラの概略構成図である。
【図３】第１の実施の形態に係るレンズ鏡筒に対する手動操作を説明する図であり、図３（ａ）はレンズ鏡筒に接触状態、図３（ｂ）はレンズ鏡筒に非接触状態を表す。
【図４】第１の実施の形態に係るレンズ鏡筒の動作についての処理の流れを示すフローチャートである。
【図５】本発明の第２の実施の形態に係るレンズ鏡筒を備えるデジタルカメラを模式的に示す外観図である。
【図６】第２の実施の形態に係るレンズ鏡筒を備えるデジタルカメラの概略構成図である。
【図７】第２の実施の形態に係るレンズ鏡筒の動作についての処理の流れを示すフローチャートである。
【発明を実施するための形態】
【０００８】
以下、本発明の実施の形態によるレンズ鏡筒を備えるデジタルカメラについて、図面を参照しながら説明する。
−第１の実施の形態−
図１を参照すると、デジタルカメラ１は、レンズ鏡筒１０と、レンズ鏡筒１０が着脱自在に取り付けられるカメラボディ３０とを有する。レンズ鏡筒１０は、ズームレンズ、フォーカスレンズ、絞りなどから構成される撮影光学系、及びこの撮影光学系を収容する鏡筒１０ａを有する。図示のように、円筒状の鏡筒１０ａには、ズームリング１１、ズームリングタッチセンサ１２、フォーカスリング１３、フォーカスリングタッチセンサ１４、絞りリング１５、絞りリングタッチセンサ１６がそれぞれ円筒面を一周するように取り付けられている。
【０００９】
ズームリング１１は、手動でズームレンズをその光軸方向に移動させる操作リングである。ズームリングタッチセンサ１２は、静電容量や電気抵抗の変化を検出することにより物の接触を検知するセンサである。ズームリングタッチセンサ１２は、ズームリング１１上に設けられ、ズームリング１１への接触を検出できる。なお、ズームリングタッチセンサ１２は、ズームリング１１を操作するときに触れる可能性が高いズームリング１１の近傍に設けてもよい。
【００１０】
フォーカスリング１３は、手動でフォーカスレンズをその光軸方向に移動させる操作リングである。フォーカスリングタッチセンサ１４もズームリングタッチセンサ１２と同様、物の接触を検知するセンサである。フォーカスリングタッチセンサ１４は、フォーカスリング１３上に設けられ、フォーカスリング１３への接触を検出できる。なお、フォーカスリングタッチセンサ１４は、フォーカスリング１３を操作するときに触れる可能性が高いフォーカスリング１３の近傍に設けてもよい。
【００１１】
絞りリング１５は、手動で絞りを開閉させる操作リングである。絞りリングタッチセンサ１６も同様に、物の接触を検知するセンサである。絞りリングタッチセンサ１６は、絞りリング１５上に設けられ、絞りリング１５への接触を検出できる。なお、絞りリングタッチセンサ１６は、絞りリング１５を操作するときに触れる可能性が高い絞りリング１５の近傍に設けてもよい。
【００１２】
図２は、デジタルカメラ１の内部構成を示す図であり、撮影光学系２０は、ズームレンズ２１、フォーカスレンズ２３及び絞り２５を含む。レンズ鏡筒１０は、ズームレンズ２１とこれを保持するズームレンズ保持部材２２、フォーカスレンズ２３とこれを保持するフォーカスレンズ保持部材２４、絞り２５とこれを保持する絞り保持部材２６を収容している。
【００１３】
ズームレンズ２１は、ズームリング１１を手動で操作して移動することも、ズームレンズ保持部材２２を駆動装置で駆動して移動することも可能である。同様に、フォーカスレンズ２３は、フォーカスリング１３を手動で操作して移動することも、フォーカスレンズ保持部材２４を駆動装置で駆動して移動することも可能である。また、絞り２５は、絞りリング１５を手動で操作して開閉することも、絞り保持部材２６を駆動装置で駆動して開閉することも可能である。
【００１４】
本実施の形態では、ズームレンズ２１、フォーカスレンズ２３及び絞り２５は、各操作リング１１、１３、１５を手動で操作して移動又は開閉させるものとして説明する。
【００１５】
カメラボディ３０は、撮像素子３１、ＣＰＵ３２、接触検出部３３、係止部３４、姿勢センサ３５及び時間入力部３６を備えている。撮像素子３１は、撮影光学系２０によって形成された被写体像を撮像する。ＣＰＵ３２は、カメラ内の各種のセンサや各検出部の電気信号又は検出信号を入力し、その検出信号等に基づいて演算を行う。ＣＰＵ３２は、その演算結果に基づく指令信号を撮影光学系２０、撮像素子３１、駆動装置等へ送出し、ＡＦ制御、露出制御、駆動制御等を行う。
【００１６】
接触検出部３３は、ズームリングタッチセンサ１２、フォーカスリングタッチセンサ１４及び絞りリングタッチセンサ１６にそれぞれ電気的に接続され、各タッチセンサ１２、１４、１６から入力された電気信号を接触検出信号としてＣＰＵ３２へ出力する電気回路である。
【００１７】
係止部３４は、ズームレンズ保持部材２２、フォーカスレンズ保持部材２４及び絞り保持部材２６にそれぞれ接続され、ＣＰＵ３２からの指令信号に応じて各保持部材２２、２４、２６に対してロック／アンロックを行う。ここで、ロックとは、一点で係止する意味ではなく、実用上許容される幅をもって移動を制限する意味である。
ロック動作は、通常、各タッチセンサ１２、１４、１６が接触を検出しなくなった時点で行われ、アンロック動作は、各タッチセンサ１２、１４、１６が接触を検出した時点で行われる。ロック／アンロック動作は、係止部３４が各保持部材２２、２４、２６に対して直接に行うこともでき、また、係止部３４が各保持部材２２、２４、２６を駆動する駆動装置（不図示）を介して、例えばモータの回転を制御することにより行うこともできる。
【００１８】
姿勢センサ３５は、デジタルカメラ１の姿勢を検出するセンサである。姿勢センサ３５としては、力学的な慣性を利用する機械式や光学的な干渉を利用する光学式などを用いることができる。姿勢センサ３５は、撮影光学系２０の光軸が重力方向を向いているときを基準とし、撮影光学系２０の光軸が重力方向に対してどれだけ傾斜しているかの角度を検出し、その角度検出信号をＣＰＵ３２へ出力する。姿勢センサ３５による角度検出信号は、ＣＰＵ３２が、接触検出部３３からの接触検出信号を入力してから係止部３４によるロック動作指令信号を出力するまでの遅延時間の算出に用いられる。ＣＰＵ３２は、算出した遅延時間を計時し、計時終了時点で計時信号、すなわちロック動作指令信号を係止部３４へ出力する。
【００１９】
時間入力部３６は、ロック動作の開始時点を遅延させるために所定の遅延時間をユーザーが入力する操作部材である。これは、各タッチセンサ１２、１４、１６が接触を検出しなくなった時点で直ちに係止部３４によるロック動作を行うと、各操作リング１１、１３、１５の操作中に短時間だけ生じる非接触状態でさえもロック動作を開始してしまい、撮影に支障をきたすという不都合を避けるためである。ＣＰＵ３２は、ユーザーが入力した遅延時間を計時し、計時終了時点で計時信号、すなわちロック動作指令信号を係止部３４へ出力する。
【００２０】
図３は、レンズ鏡筒１０に設けられたズームリング１１に対する手動操作を説明する図である。この図３では、簡単のため、フォーカスリング１３、フォーカスリングタッチセンサ１４、絞りリング１５及び絞りリングタッチセンサ１６は、図示を省略し、ズームリング１１及びズームリングタッチセンサ１２のみを図示する。
【００２１】
図３（ａ）は、ユーザーの手がズームリング１１を矢印Ｙで示す回転方向に廻している状態を表し、ユーザーの手は、ズームリング１１及びズームリングタッチセンサ１２の両方に接触している。従って、ズームリング１１の回転に伴いズームレンズは光軸上を移動し、ズームリングタッチセンサ１２は接触を検出し、接触検出部３３は、接触検出信号をＣＰＵ３２へ出力する。
図３（ｂ）は、ユーザーの手がレンズ鏡筒１０から離れている非接触状態を表し、当然にズームリング１１の回転もズームレンズの移動もなく、ズームリングタッチセンサ１２の接触は零であり、接触検出部３３の接触検出信号も零であり、結果的にロック動作が行われる。
【００２２】
次に、図４のフローチャートを参照しながら、第１の実施の形態のデジタルカメラ１の動作を説明する。
ステップＳ１１で、カメラのメイン電源がＯＮとなり、各種の準備動作が行われる。この準備動作の後に、ユーザーは、時間入力部３６を操作して、ロック動作の開始時点を遅延させるために所定の遅延時間を入力することができる。
【００２３】
ステップＳ１２で、姿勢センサ３５は、デジタルカメラ１の姿勢に基づいて撮影光学系２０の光軸が重力方向に対してどれだけ傾斜しているかを表す角度検出信号をＣＰＵ３２へ出力する。
【００２４】
ステップＳ１３で、ＣＰＵ３２は、姿勢センサ３５からの角度検出信号に基づいて、係止部３４によるロック動作の遅延時間を算出する。この遅延時間は、撮影光学系２０の光軸の重力方向となす角度θが０°のときに最も短く、角度θが９０°のときに最も長くなる。これは、角度θが０°のとき、つまりレンズ鏡筒１０が真上又は真下を向いている場合は、重力作用によってレンズが光軸方向に動き易いので直ちにロックする必要があり、角度θが９０°のとき、つまりレンズ鏡筒１０が水平状態にある場合は、レンズの光軸方向には重力が作用しないのでロック動作を遅延させることができるからである。ステップＳ１３の姿勢検出とステップＳ１４の遅延時間算出とは所定の周期で繰り返し行われ、ＣＰＵ３２は、繰り返しの度に遅延時間を更新する。
【００２５】
ステップＳ１４で、ユーザーが、ズームリング１１、フォーカスリング１３及び絞りリング１５のいずれかに触れると、ステップＳ１５で、ＣＰＵ３２は、ズームリングタッチセンサ１２、フォーカスリングタッチセンサ１４及び絞りリングタッチセンサ１６のうちどのタッチセンサに触れたかを各タッチセンサ１２、１４、１６に接続されている接触検出部３３の接触検出信号から判定する。
【００２６】
以下の処理では、ステップＳ１５で、ズームリングタッチセンサ１２から出力があった場合を説明するが、フォーカスリングタッチセンサ１４から出力があった場合も絞りリングタッチセンサ１６から出力があった場合も動作は同様である。
【００２７】
ステップＳ１５で、接触検出部３３からＣＰＵ３２へズームリングタッチセンサ１２の出力に基づく接触検出信号が出力されると、ステップＳ１６Ａで、係止部３４は、ＣＰＵ３２からの指令信号に応じてズームレンズ保持部材２２を介してズームレンズ２１をロック状態からアンロック状態とする。フォーカスリングタッチセンサ１４及び絞りリングタッチセンサ１６からは出力がないので、フォーカスレンズ２３及び絞り２５はロック状態にある。
【００２８】
ステップＳ１７で、ユーザーが、ズームリング１１、フォーカスリング１３及び絞りリング１５のいずれかに触れた場合、すなわち、ズームリング１１に依然として触れ続けている場合、或いはフォーカスリング１３又は絞りリング１５に触れた場合には、ステップＳ１５へ戻って、ＣＰＵ３２は、どのタッチセンサに触れたかを各タッチセンサ１２、１４、１６の出力に基づいて判定する。
【００２９】
一方、ステップＳ１７で、ユーザーが、ズームリング１１、フォーカスリング１３及び絞りリング１５のいずれの操作リングにも触れていない場合、すなわち、各タッチセンサ１２、１４、１６のいずれからも出力がない場合は、ズームリングタッチセンサ１２からの検出信号が零となった場合である。この場合は、ステップＳ１８へ移行し、係止部３４は、ＣＰＵ３２からの指令信号に応じてズームレンズ保持部材２２を介してズームレンズ２１をロックする。このロック動作は、前述した更新された遅延時間の経過後に行われる。
【００３０】
ステップＳ１９では、ズームレンズ２１、フォーカスレンズ２３及び絞り２５のすべてが係止された状態で、ＣＰＵ３２は、カメラのメイン電源がＯＦＦとなったか否かを判定し、電源がＯＮのままであれば、ステップＳ１２へ戻り、上述した一連の動作が繰り返される。また、ステップＳ１９で、カメラのメイン電源がＯＦＦとなった場合は、フローチャートの処理を終了する。
なお、ステップＳ１５で、フォーカスリングタッチセンサ１４から出力があった場合は、ステップＳ１６Ｂへ移行し、絞りリングタッチセンサ１６から出力があった場合は、ステップＳ１６Ｃへ移行する。
【００３１】
本実施の形態のデジタルカメラ１は、次の作用効果を奏する。
（１）操作リング１１、１３、１５にそれぞれタッチセンサ１２、１４、１６を設け、出力のあったタッチセンサに対応するレンズ又は絞りはアンロック状態とし、一方、検出信号が零のタッチセンサに対応するレンズ又は絞りはロック状態とするので、アンロック状態ではレンズ又は絞りを自由に移動できるとともに、ロック状態ではロック直前のレンズ位置又は絞り開口状態を保持することができる。
（２）時間入力部３６によってロック動作の遅延時間をユーザーが入力することにより、各操作リング１１、１３、１５の操作中に短時間だけ生じる非接触状態でロック動作をしてしまうという不都合を避けることができる。
（３）姿勢センサ３５からの角度検出信号に基づいてロック動作の遅延時間を算出し、この遅延時間に応じてレンズ又は絞りをロックするので、カメラの姿勢に対応してロック動作を実施するタイミングをきめ細かく設定することができる。
【００３２】
−第２の実施の形態−
図５〜７を参照して説明する第２の実施の形態のデジタルカメラ２は、第１の実施の形態のデジタルカメラ１と基本的には同様であるが、デジタルカメラ１に温度センサ１７が更に付加されており、この点で異なるものである。従って、第２の実施の形態では、この相違点を主として説明する。
【００３３】
図５を参照すると、デジタルカメラ２は、レンズ鏡筒１０Ａと、レンズ鏡筒１０Ａが着脱自在に取り付けられるカメラボディ３０Ａとを有する。レンズ鏡筒１０Ａのズームリング１１には、ズームリングタッチセンサ１２の他に温度センサ１７が配設されている。温度センサ１７としては、例えば白金線を用い、その電気抵抗率が温度によって変化する原理を利用して測温するものが用いられる。
【００３４】
温度センサ１７は、ズームリング１１に触れた物による温度変化を検出し、接触物が人の手か否かを検出するために設けられるものである。温度センサ１７は、ズームリング１１のほぼ全周にわたって１つ設けてもよいし、ズームリング１１の全周にほぼ等間隔に複数個設けてもよい。温度センサ１７を１つ設けた場合は、単純に温度変化を検出し、温度センサ１７を複数設けた場合は、各温度センサの間で生じる温度差を検出する。なお、温度センサ１７は、ズームリング１１を操作するときに触れる可能性が高いズームリング１１の近傍に設けてもよい。
図５では、簡単のため、ズームリング１１に配設された温度センサ１７のみを図示したが、温度センサは、フォーカスリング１３や絞りリング１５にも配設されている。
【００３５】
図６を参照すると、カメラボディ３０Ａには、図２に示したカメラボディ３０の構成に加えてさらに測温部３７が備えられている。この測温部３７は、温度センサ１７に電気的に接続され、温度センサ１７から入力された電気信号を温度検出信号としてＣＰＵ３２へ出力する電気回路である。ＣＰＵ３２は、接触検出部３３からの接触検出信号と温度センサ１７からの温度検出信号の両方に基づいて係止部３４に対してロック／アンロック動作の指令信号を出力する。
【００３６】
図７は、第２の実施の形態のデジタルカメラ２の動作を説明するフローチャートである。
図７のフローチャートは、図４のフローチャートと基本的には同様であるが、デジタルカメラ２には温度センサ１７と測温部３７が備えられており、この温度センサ１７からの出力に基づく温度検出信号を利用する点で異なるものである。
【００３７】
図７のステップＳ２１からステップＳ２５までの処理は、図４のステップＳ１１からステップＳ１５までの処理と同じである。ステップＳ２５で、ズームリングタッチセンサ１２から出力があった場合を以下に説明するが、フォーカスリングタッチセンサ１４から出力があった場合も絞りリングタッチセンサ１６から出力があった場合も動作は同様である。
【００３８】
ステップＳ２５で、接触検出部３３からＣＰＵ３２へズームリングタッチセンサ１２の出力に基づく接触検出信号が出力されると、ステップＳ２６Ａへ移行し、ステップＳ２６Ａで、測温部３７からＣＰＵ３２へ温度センサ１７の出力に基づく温度検出信号が出力されたか否かを検出する。ステップＳ２６Ａで、温度検出信号が出力されると、ステップＳ２７Ａで、係止部３４は、ＣＰＵ３２からの指令信号に応じてズームレンズ保持部材２２を介してズームレンズ２１をロック状態からアンロック状態とする。このように、接触検出信号と温度検出信号の両方が出力されるということは、物とは温度の異なる人の手がズームリング１１に接触したと考えるのが自然であるので、ズームレンズ２１をアンロック状態としてズーミング操作ができるようにする。
【００３９】
ステップＳ２６Ａで、温度センサ１７から温度検出信号が出力されない場合は、ステップＳ２９へ移行し、係止部３４は、ＣＰＵ３２からの指令信号に応じてズームレンズ保持部材２２を介してズームレンズ２１をロックする。このロック動作は、前述した更新された遅延時間の経過後に行われる。なお、この場合、フォーカスリングタッチセンサ１４及び絞りリングタッチセンサ１６の出力に基づく接触検出信号も、フォーカスリング１３の温度センサ及び絞りリング１５の温度センサの出力に基づく温度検出信号も、ＣＰＵ３２へは入力されていないので、フォーカスリング１３及び絞りリング１５はロック状態にある。
【００４０】
図７のステップＳ２８からステップＳ３０までの処理は、図４のステップＳ１７からステップＳ１９までの処理と同じであるので、説明を省略する。
なお、前述したように、ステップＳ２５で、フォーカスリングタッチセンサ１４から出力があった場合は、ステップＳ２６Ｂへ移行し、絞りリングタッチセンサ１６から出力があった場合は、ステップＳ２６Ｃへ移行する。
【００４１】
第２の実施の形態のデジタルカメラ２は、第１の実施の形態のデジタルカメラ１の作用効果に加えて以下の作用効果を奏する。すなわち、デジタルカメラ２には、ズームリングタッチセンサ１２に加えて温度センサ１７が配設されており、接触検出信号と温度検出信号の両方の出力に基づいてズームレンズ２１をアンロック状態にする。従って、単なる物の接触だけではなく人の手が接触してズームリング２１を操作しようとしていることまで検出できるので、正確なアンロック動作が可能である。フォーカスレンズ２３及び絞り２５についても、同様の作用効果を奏する。
【００４２】
第１及び第２の実施の形態の変形例は以下のとおりである。
（１）本実施の形態のデジタルカメラ１又は２は、レンズ鏡筒１０に、ズームリング１１、フォーカスリング１３及び絞りリング１５が設けられているが、これらの操作リング１１、１３、１５を省略した構成も本発明に含まれるものである。この場合、ズームリングタッチセンサ１２、フォーカスリングタッチセンサ１４及び絞りリングタッチセンサ１６は、レンズ鏡筒１０の周囲に設けられる。
（２）本実施の形態のデジタルカメラ１又は２は、ズームリング１１、フォーカスリング１３及び絞りリング１５が移動又は回転することによってそれぞれズームレンズ２１、フォーカスレンズ２３及び絞り２５が移動又は開閉するメカニズムであったが、操作リング１１、１３、１５の各タッチセンサ１２、１４、１６を手又は指の接触位置を検出できるように構成し、タッチセンサ１２、１４、１６上の接触位置を移動させることで、各タッチセンサ１２、１４、１６は、その移動方向、移動量、移動速度などを検出し、これらの検出結果に基づいてズームレンズ２１、フォーカスレンズ２３及び絞り２５をアクチュエータを用いて移動又は開閉するように構成してもよい。この場合は、各操作リング１１、１３、１５は移動又は回転しない。
（３）本実施の形態において、係止部３４が、ズームレンズ保持部材２２、フォーカスレンズ保持部材２４及び絞り保持部材２６に対してロック／アンロックを行う例を説明したが、係止部３４が、ズームリング１１、フォーカスリング１３及び絞りリング１５に対してロック／アンロックを行うように構成してもよい。
（４）本実施の形態のデジタルカメラ１又は２は、レンズ鏡筒１０がカメラボディ３０、３０Ａに着脱可能であったが、固定式のレンズ鏡筒であってもよい。
【００４３】
本発明は、その特徴を損なわない限り、以上説明した実施の形態に何ら限定されるものではない。
【符号の説明】
【００４４】
１、２：デジタルカメラ                １０、１０Ａ：レンズ鏡筒
１１：ズームリング                    １２：ズームリングタッチセンサ
１３：フォーカスリング                １４：フォーカスリングタッチセンサ
１５：絞りリング                      １６：絞りリングタッチセンサ
１７：温度センサ                      ２０：撮影光学系
２１：ズームレンズ                    ２３：フォーカスレンズ
２５：絞り                            ３０、３０Ａ：カメラボディ
３２：ＣＰＵ                          ３３：接触検出部
３４：係止部                          ３５：姿勢センサ
３６：時間入力部                      ３７：測温部
【図１】
2014174504.tif 000003
【図２】
2014174504.tif 000004
【図３】
2014174504.tif 000005
【図４】
2014174504.tif 000006
【図５】
2014174504.tif 000007
【図６】
2014174504.tif 000008
【図７】
2014174504.tif 000009